(57)【要約】      （修正有）【課題】開閉操作性を向上させながらも、全開させた状態における見栄えを向上させ、出入口の開口幅を大きくし得る引戸装置を提供する。【解決手段】戸厚方向に重合するように引き違い状に配設され、互いに連動するように戸幅方向に沿ってスライド移動される三枚の戸パネル１０Ａ，１０Ｂ，２０を備えた引戸装置１であって、それぞれの戸幅寸法が中央の戸パネル２０の戸幅寸法よりも大きく形成されており、全開された際に、戸厚方向一方側の戸パネル１０Ａの反開閉側端面１８Ａと前記中央の戸パネルの戸幅方向一方側端面２１とが戸幅方向で略一致し、戸厚方向他方側の戸パネル１０Ｂの反開閉側端面１８Ｂと前記中央の戸パネルの戸幅方向他方側端面２３とが戸幅方向で略一致するように、前記中央の戸パネルに対する前記戸厚方向両側の戸パネルのそれぞれの開放側への移動を阻止するストッパー部１４を備えている。【選択図】図１
2014152522.tif 000002
【特許請求の範囲】
【請求項１】
戸厚方向に重合するように引き違い状に配設され、互いに連動するように戸幅方向に沿ってスライド移動される三枚の戸パネルを備えた引戸装置であって、
戸厚方向両側の戸パネルは、それぞれの開閉側端部の戸厚方向両側にそれぞれ突出するように把手が設けられ、かつそれぞれの戸幅寸法が中央の戸パネルの戸幅寸法よりも大きく形成されており、
全開された際に、戸厚方向一方側の戸パネルの反開閉側端面と前記中央の戸パネルの戸幅方向一方側端面とが戸幅方向で略一致し、戸厚方向他方側の戸パネルの反開閉側端面と前記中央の戸パネルの戸幅方向他方側端面とが戸幅方向で略一致するように、かつ、前記戸厚方向両側の戸パネルの中央側へそれぞれ突出する把手が前記中央の戸パネルに当接しないように、前記中央の戸パネルに対する前記戸厚方向両側の戸パネルのそれぞれの開放側への移動を阻止するストッパー部を備えていることを特徴とする引戸装置。
【請求項２】
請求項１において、
前記三枚の戸パネルは、それぞれ上レールに吊下支持される構成とされており、
前記ストッパー部は、前記中央の戸パネルの戸幅方向一方側端面に当接するように前記戸厚方向他方側の戸パネルの開閉側端部の上端部と、前記中央の戸パネルの戸幅方向他方側端面に当接するように前記戸厚方向一方側の戸パネルの開閉側端部の上端部と、にそれぞれ中央側へ突出するように設けられていることを特徴とする引戸装置。
【請求項３】
請求項１または２において、
前記ストッパー部は、緩衝性を有した材料から形成されていることを特徴とする引戸装置。
【請求項４】
請求項１乃至３のいずれか１項において、
前記三枚の戸パネルを連動させる連動機構は、前記中央の戸パネルの戸幅方向両端部にそれぞれ回転自在に設けられた回転車と、これら回転車に巻き掛けられた無端状伝動体と、該無端状伝動体と前記戸厚方向一方側の戸パネルとを連結する第１連結部と、該無端状伝動体と前記戸厚方向他方側の戸パネルとを連結する第２連結部と、を備えていることを特徴とする引戸装置。
【発明の詳細な説明】
【技術分野】
【０００１】
本発明は、複数枚の戸パネルを備えた引戸装置に関する。
【背景技術】
【０００２】
従来より、戸厚方向に重合するように引き違い状に配設され、互いに連動するように戸幅方向に沿ってスライド移動される三枚の戸を有した引戸が知られている。
例えば、下記特許文献１及び下記特許文献２では、戸厚方向両側の戸のそれぞれの開閉操作される側の端部に掘り込み状の引手を設け、全開させた際に三枚の戸が戸厚方向に完全に重合する構成とされた引戸が開示されている。このような引戸では、全開させた際に三枚の戸が戸厚方向に完全に重合するので、見栄えが良く、また出入口の開口幅を効率的に大きくできるものではあるが、引手を掘り込み状にする必要があるため、開閉操作がし難いという問題があった。
一方、下記特許文献３では、戸厚方向両側の戸のそれぞれの開閉操作される側の端部の戸厚方向両側に凸状取手を設けた引戸が開示されている。また、この引戸は、各戸が互いに略同戸幅寸法とされ、全開させた際に、戸厚方向両側の戸のそれぞれに中央戸と重合しない未重合部を設け、該未重合部に凸状取手を設けた構成とされている。
【先行技術文献】
【特許文献】
【０００３】
【特許文献１】特開２００９−９１７５６号公報
【特許文献２】特開２０１２−５７３７２号公報
【特許文献３】特開２０００−１０４４５１号公報
【発明の概要】
【発明が解決しようとする課題】
【０００４】
しかしながら、上記特許文献３に記載された引戸では、各戸を互いに略同戸幅寸法とし、全開させた際に、戸厚方向両側の戸のそれぞれにおける中央戸と重合しない未重合部に凸状取手を設けた構成としている。そのため、全開させた状態では、戸厚方向に見た状態で中央戸の戸幅方向一端部が大きく露出して目立ち易くなり、また、出入口の開口幅が小さくなる傾向があった。
【０００５】
本発明は、上記実情に鑑みてなされたものであり、開閉操作性を向上させながらも、全開させた状態における見栄えを向上させ、出入口の開口幅を大きくし得る引戸装置を提供することを目的としている。
【課題を解決するための手段】
【０００６】
上記目的を達成するために、本発明に係る引戸装置は、戸厚方向に重合するように引き違い状に配設され、互いに連動するように戸幅方向に沿ってスライド移動される三枚の戸パネルを備えた引戸装置であって、戸厚方向両側の戸パネルは、それぞれの開閉側端部の戸厚方向両側にそれぞれ突出するように把手が設けられ、かつそれぞれの戸幅寸法が中央の戸パネルの戸幅寸法よりも大きく形成されており、全開された際に、戸厚方向一方側の戸パネルの反開閉側端面と前記中央の戸パネルの戸幅方向一方側端面とが戸幅方向で略一致し、戸厚方向他方側の戸パネルの反開閉側端面と前記中央の戸パネルの戸幅方向他方側端面とが戸幅方向で略一致するように、かつ、前記戸厚方向両側の戸パネルの中央側へそれぞれ突出する把手が前記中央の戸パネルに当接しないように、前記中央の戸パネルに対する前記戸厚方向両側の戸パネルのそれぞれの開放側への移動を阻止するストッパー部を備えていることを特徴とする。
【０００７】
本発明においては、前記三枚の戸パネルを、それぞれ上レールに吊下支持される構成とし、前記ストッパー部を、前記中央の戸パネルの戸幅方向一方側端面に当接するように前記戸厚方向他方側の戸パネルの開閉側端部の上端部と、前記中央の戸パネルの戸幅方向他方側端面に当接するように前記戸厚方向一方側の戸パネルの開閉側端部の上端部と、にそれぞれ中央側へ突出させるように設けてもよい。
また、本発明においては、前記ストッパー部を、緩衝性を有した材料から形成してもよい。
また、本発明においては、前記三枚の戸パネルを連動させる連動機構を、前記中央の戸パネルの戸幅方向両端部にそれぞれ回転自在に設けられた回転車と、これら回転車に巻き掛けられた無端状伝動体と、該無端状伝動体と前記戸厚方向一方側の戸パネルとを連結する第１連結部と、該無端状伝動体と前記戸厚方向他方側の戸パネルとを連結する第２連結部と、を備えたものとしてもよい。
【発明の効果】
【０００８】
本発明に係る引戸装置は、上述のような構成としたことで、開閉操作性を向上させながらも、全開させた状態における見栄えを向上させ、出入口の開口幅を大きくすることができる。
【図面の簡単な説明】
【０００９】
【図１】（ａ）、（ｂ）は、いずれも本発明の一実施形態に係る引戸装置の一例を模式的に示し、（ａ）は、図２（ａ）におけるＸ１−Ｘ１線矢視に対応させた一部を省略した一部破断概略横断面図、（ｂ）は、図２（ｂ）におけるＸ２−Ｘ２線矢視に対応させた一部を省略した一部破断概略横断面図である。
【図２】（ａ）、（ｂ）は、いずれも同引戸装置を施工した状態を模式的に示す一部を省略した一部破断概略正面図である。
【図３】図２（ｂ）におけるＹ−Ｙ線矢視に対応させた一部破断概略縦断面図である。
【発明を実施するための形態】
【００１０】
以下に本発明の実施の形態について、図面に基づいて説明する。
図１〜図３は、本実施形態に係る引戸装置の一例を模式的に示す図である。
なお、一部の図では、他図に付している詳細な符号の一部を省略している。
また、以下の実施形態では、図１（ａ）に示すＶ方向から引戸装置に対面した状態を基準として、手前側を前方、逆側を後方として、その方向等を説明する場合がある。
【００１１】
本実施形態に係る引戸装置１は、図１及び図２に示すように、戸厚方向に重合するように引き違い状に配設され、互いに連動するように戸幅方向に沿ってスライド移動される三枚の戸パネル１０Ａ，１０Ｂ，２０を備えている。また、本実施形態では、引戸装置１は、住居等の建物の内壁（壁体）２に設けられた開口部３に配設され、これら三枚の戸パネル１０Ａ，１０Ｂ，２０が建て付けられる戸枠３０を備えている。
開口部３は、図２に示すように、正面視して略矩形状とされており、その上側が、横桟やまぐさ等の横架材または該横架材の下面側に固定された飼木（スペーサー材）等からなる上枠下地によって区画されている。また、開口部３は、その開口幅（戸幅）方向両側が、間柱等の柱材または該柱材の開口幅方向内側に固定された飼木（スペーサー材）等からなる左右両側の縦枠下地によって区画されている。また、開口部３は、その下側が、床材または床下地によって区画されている。
【００１２】
戸枠３０は、図２に示すように、上枠３２と、この上枠３２の長手方向両側に配設される両側の縦枠３１Ａ，３１Ｂと、を備えている。
両側の縦枠３１Ａ，３１Ｂは、図示右側の第１縦枠３１Ａと、図示左側の第２縦枠３１Ｂと、からなる。これら両側の縦枠３１Ａ，３１Ｂは、概ね同様の構成とされており、開口部３の開口高に応じた長さ寸法とされ、略帯板状とされている。
また、これら両側の縦枠３１Ａ，３１Ｂの見込み寸法（内壁２の壁厚方向に沿う寸法）は、図１に示すように、内壁２の壁厚寸法よりも大きく形成されており、見込み方向両端部が内壁２の前後面よりも突出するように配設される構成とされている。また、これら両側の縦枠３１Ａ，３１Ｂの互いに向き合う各内側面には、互いに向き合う方向に開口し、戸パネル１０Ａ，１０Ｂの戸幅方向端部を受け入れる戸じゃくり溝が長手方向に沿って設けられている。
【００１３】
上枠３２は、開口部３の開口幅方向に沿って長尺の略帯板状とされている。
本実施形態では、図３に示すように、この上枠３２に、戸パネル１０Ａ，１０Ｂ，２０を吊下支持する上レール３３を設けている。
この上レール３３は、各戸パネル１０Ａ，１０Ｂ，２０の移動軌跡に対応させて、壁厚方向に間隔を空けて三列のガイド溝３４Ａ，３４Ｂ，３５を並列状に設けた構成とされている。壁厚方向一方側（前側）の第１ガイド溝３４Ａは、戸厚方向一方側（前側）の第１戸パネル１０Ａを吊下支持する。壁厚方向他方側（後側）の第２ガイド溝３４Ｂは、戸厚方向他方側（後側）の第２戸パネル１０Ｂを吊下支持する。これら第１ガイド溝３４Ａと第２ガイド溝３４Ｂとの間の中央ガイド溝３５は、中央の中央戸パネル２０を吊下支持する。
【００１４】
これらガイド溝３４Ａ，３４Ｂ，３５は、上板部及び両側板部によって区画され、縦断面形状が、下方に向けて開口する略コ字状（略Ｕ字状または略Ｃ字状）とされている。また、両側板部の下端縁部に、互いに向き合う方向に突出する案内片がそれぞれに設けられている。これら両案内片によって、後記する各戸パネル１０Ａ，１０Ｂ，２０のランナー部材１５Ａ，１６Ａ，１５Ｂ，１６Ｂ，２５，２６のローラー等が当該上レール３３の長手方向に沿って転動自在に支持される。このような構成により、上レール３３は、当該上レール３３に対して各戸パネル１０Ａ，１０Ｂ，２０を戸幅方向に沿ってスライド自在に吊下支持する構成とされている。
【００１５】
また、本実施形態では、第１ガイド溝３４Ａ及び第２ガイド溝３４Ｂを、略同高さに設け、中央ガイド溝３５を、これら第１ガイド溝３４Ａ及び第２ガイド溝３４Ｂよりも上側に位置するように設けている。また、中央ガイド溝３５の下側に、後記する連動機構を受け入れる受入溝３６を設けている。この受入溝３６は、見込み方向（内壁２の壁厚方向に沿う方向）で、第１ガイド溝３４Ａと第２ガイド溝３４Ｂとの間に設けられている。
これらガイド溝３４Ａ，３４Ｂ，３５及び受入溝３６は、上レール３３の全長に亘って設けられている。
上枠３２には、この上レール３３を受け入れる下向き開口の凹溝が全長に亘って設けられている。図例では、上レール３３の上側部位のみを受け入れる凹溝を上枠３２に設けた例を示しているが、上レール３３の略全体を受け入れる凹溝を上枠３２に設けるようにしてもよい。
【００１６】
なお、上レール３３は、上記のような形状に一体的に形成されたものとしてもよく、複数部材から構成されたものとしてもよい。
また、上レール３３は、ねじや釘等の止具や、接着剤等によって上枠３２に固定するようにしてもよい。
また、両側の縦枠３１Ａ，３１Ｂと上枠３２とは、例えば、上枠３２の長手方向の各端面に、各縦枠３１Ａ，３１Ｂの上端部内側面を当接させ、各縦枠３１Ａ，３１Ｂの外側面側から止具を上枠３２に捩じ込む（または打ち込む）ことで枠組みするようにしてもよい。
また、図２では、上枠３２の上側に垂れ壁を設けた例を示しているが、上枠３２を天井に沿わせるように設けたり、天井に埋め込むように設けたりしてもよい。また、上枠３２に上レール３３を設けた態様に代えて、上レール３３自体を直接的に上記したような上枠下地等に固定する態様としてもよい。この場合は、縦枠３１Ａ，３１Ｂも設けないようにしてもよい。
【００１７】
各戸パネル１０Ａ，１０Ｂ，２０は、略矩形平板状とされている。これら戸パネル１０Ａ，１０Ｂ，２０の高さ寸法は、図３に示すように、床面近傍から上レール３３近傍に至るまでの寸法とされており、互いに略同寸法とされている。また、これら戸パネル１０Ａ，１０Ｂ，２０の戸厚寸法は、例えば、２０ｍｍ〜４０ｍｍ程度とされており、互いに略同寸法とされている。
また、戸厚方向両側の第１戸パネル１０Ａ及び第２戸パネル１０Ｂは、それぞれの開閉操作される側の端部（開閉側端部）１１Ａ，１１Ｂの戸厚方向両側にそれぞれ突出するように把手１２Ａ，１３Ａ，１２Ｂ，１３Ｂを設けた構成とされている。これら第１戸パネル１０Ａ及び第２戸パネル１０Ｂの開閉側端部１１Ａ，１１Ｂは、閉鎖状態（図１（ａ）及び図２（ａ）に示す状態）で、各縦枠３１Ａ，３１Ｂにそれぞれ近接または当接する側の戸幅方向の端部である。
【００１８】
各把手１２Ａ，１３Ａ，１２Ｂ，１３Ｂは、略同様の構成とされている。これら把手１２Ａ，１３Ａ，１２Ｂ，１３Ｂは、各戸パネル１０Ａ，１０Ｂの戸厚方向両面（前後面）にそれぞれ固定された台座を備えた構成とされている。また、これら把手１２Ａ，１３Ａ，１２Ｂ，１３Ｂは、各台座の上下端部から戸厚方向に突出する基部と、上下両側の基部に上下端部が連結され、上下方向に延びる棒状（バー状）の把持部と、を備えた構成とされている。
また、各戸パネル１０Ａ，１０Ｂの中央側に突出する中央側把手１２Ａ，１２Ｂと外側（反壁心側）に突出する外側把手１３Ａ，１３Ｂとは、各戸パネル１０Ａ，１０Ｂの戸幅方向で略一致するように設けられている。
【００１９】
また、各戸パネル１０Ａ，１０Ｂの中央側把手１２Ａ，１２Ｂの把持部は、図１（ａ）に示すように、閉鎖状態で、近接する側の縦枠３１Ａ，３１Ｂとの間に手指の挿入が可能な空間が形成されるように設けられている。また、各戸パネル１０Ａ，１０Ｂの中央側把手１２Ａ，１２Ｂの把持部は、図１（ｂ）に示すように、全開状態で、他方の戸パネル１０Ｂ，１０Ａの反開閉側端面１８Ｂ，１８Ａとの間に手指の挿入が可能な空間が形成されるように設けられている。また、各戸パネル１０Ａ，１０Ｂの外側把手１３Ａ，１３Ｂの把持部は、図１（ａ）に示すように、閉鎖状態で、近接する側の縦枠３１Ａ，３１Ｂの見込み方向端部よりも外側（反壁心側）に位置するように設けられている。
このような構成により、内壁２の手前側及び後側のいずれ側においても、また、右引き及び左引きのいずれでも開閉操作を容易に行うことが可能となっている。なお、図１（ｂ）及び図２（ｂ）では、各戸パネル１０Ａ，１０Ｂ，２０同士を最大限戸厚方向に重合させ、全開させた状態で、第２縦枠３１Ｂ側に出入口４を形成した例を示しているが、第１縦枠３１Ａ側に出入口４を形成することも可能である。
【００２０】
また、各戸パネル１０Ａ，１０Ｂ，２０の上端部には、上記した上レール３３に支持されるランナー部材１５Ａ，１６Ａ，１５Ｂ，１６Ｂ，２５，２６が連結固定されている。図例では、各戸パネル１０Ａ，１０Ｂ，２０の上端部の戸幅方向両端部のそれぞれにランナー部材１５Ａ，１６Ａ，１５Ｂ，１６Ｂ，２５，２６を設けた例を示している。このようなランナー部材１５Ａ，１６Ａ，１５Ｂ，１６Ｂ，２５，２６としては、水平軸廻りに回転し、上レール３３の各ガイド溝３４Ａ，３４Ｂ，３５の両案内片上を転動するローラーを備えたものとしてもよい。図例では、戸厚方向及び戸幅方向に複数のローラーを備えたランナー部材１５Ａ，１６Ａ，１５Ｂ，１６Ｂ，２５，２６を例示している。
なお、上レール３３の第１ガイド溝３４Ａ及び第２ガイド溝３４Ｂに、閉鎖状態の第１戸パネル１０Ａ及び第２戸パネル１０Ｂの開閉側端部１１Ａ，１１Ｂの上端部に設けられたランナー部材１５Ａ，１５Ｂを捕捉するキャッチ部を設けるようにしてもよい。
【００２１】
また、引戸装置１は、戸厚方向両側の第１戸パネル１０Ａ及び第２戸パネル１０Ｂのうちのいずれか一方のスライド移動に連動させて中央戸パネル２０をスライドさせる連動機構を備えている。
本実施形態では、この連動機構を、中央戸パネル２０の戸幅方向両端部にそれぞれ回転自在に設けられた回転車２７，２７と、これら回転車２７，２７に巻き掛けられた無端状伝動体２８と、を備えたものとしている。また、連動機構を、無端状伝動体２８と第１戸パネル１０Ａとを連結する第１連結部１７Ａと、無端状伝動体２８と第２戸パネル１０Ｂとを連結する第２連結部１７Ｂと、を備えたものとしている。また、本実施形態では、この連動機構を、中央戸パネル２０の上端側に設けている。
【００２２】
回転車２７，２７は、本実施形態では、滑車（プーリー）とされており、図３に示すように、軸方向を上下方向に沿わせた回転軸２７ａ，２７ａ廻りに回転自在とされている。これら滑車２７，２７は、各回転軸２７ａ，２７ａを円心とする略同径の略円盤形状とされ、その外周には、無端状伝動体としてのワイヤー２８が係合して掛けられる係合溝が周方向に沿って形成されている。
また、これら滑車２７，２７は、中央戸パネル２０の戸幅方向両端部にそれぞれ設けられたランナー部材２５，２６の下方側にそれぞれ位置するように設けられ、上記した上レール３３の受入溝３６に収容されている（図３参照）。また、図例では、滑車２７，２７を、平面視して、それぞれの一部が中央戸パネル２０の戸幅方向両側端面２１，２３から戸幅方向外方側に突出するように設けた例を示している。なお、これら滑車２７，２７は、ランナー部材２５，２６に連結固定等された滑車保持部に回転自在に保持されたものとしてもよい。
ワイヤー２８は、これら滑車２７，２７が同一方向に回転するよう平行状に巻き掛けられている。
【００２３】
第１連結部１７Ａは、図１及び図３に示すように、第１戸パネル１０Ａの開閉操作される側とは異なる側の反開閉側端部の上端部に設けられたランナー部材１６Ａとワイヤー２８とを連結するように設けられている。この第１連結部１７Ａは、両滑車２７，２７に巻き掛けられたワイヤー２８の戸厚方向一方側（前側）部位に連結されている。また、第１連結部１７Ａは、図１（ｂ）に示すように、全開状態で、中央戸パネル２０の戸幅方向一方側端部としての第２縦枠側端部に位置するようにワイヤー２８に連結されている。一方、第１連結部１７Ａは、図１（ａ）に示すように、閉鎖状態で、中央戸パネル２０の戸幅方向他方側端部としての第１縦枠側端部に位置するようにワイヤー２８に連結されている。
【００２４】
第２連結部１７Ｂは、図１及び図３に示すように、第２戸パネル１０Ｂの開閉操作される側とは異なる側の反開閉側端部の上端部に設けられたランナー部材１６Ｂとワイヤー２８とを連結するように設けられている。この第２連結部１７Ｂは、両滑車２７，２７に巻き掛けられたワイヤー２８の戸厚方向他方側（後側）部位に連結されている。また、第２連結部１７Ｂは、図１（ａ）に示すように、閉鎖状態で、中央戸パネル２０の第２縦枠側端部に位置するようにワイヤー２８に連結されている。一方、第２連結部１７Ａは、図１（ｂ）に示すように、全開状態で、中央戸パネル２０の第１縦枠側端部に位置するようにワイヤー２８に連結されている。
【００２５】
これら第１連結部１７Ａ及び第２連結部１７Ｂは、ワイヤー２８に対してワイヤー２８の延びる方向（戸幅方向）に移動不能に固定されている。これら第１連結部１７Ａ及び第２連結部１７Ｂとワイヤー２８との固定態様としては、各連結部１７Ａ，１７Ｂにワイヤー２８を挟持する挟持部を設けて固定したり、適宜、溶接等によって固定したりしてもよい。または、ワイヤー２８を、各連結部１７Ａ，１７Ｂとの連結部位において分断されたものとし、その分断されたワイヤーの端部に適宜の抜止部材等を固定し、該抜止部材を保持する保持部を各連結部１７Ａ，１７Ｂに設けて固定するようにしてもよい。
また、これら第１連結部１７Ａ及び第２連結部１７Ｂは、第１戸パネル１０Ａ及び第２戸パネル１０Ｂの反開閉側端部側のランナー部材１６Ａ，１６Ｂに一体的に設けられたものとしてもよく、または、適宜の締結具等によって連結固定されたものとしてもよい。
【００２６】
上記のような構成により、第１戸パネル１０Ａ及び第２戸パネル１０Ｂのうちのいずれか一方をスライドさせれば、連動機構の両滑車２７，２７の回転を伴い、各連結部１７Ａ，１７Ｂが戸幅方向に互いに逆側にワイヤー２８とともに移動する。これに伴い、中央戸パネル２０が第１戸パネル１０Ａ及び第２戸パネル１０Ｂのうちのいずれか一方の移動速度に対して略１／２の移動速度で同方向に移動する。つまり、第１戸パネル１０Ａ及び第２戸パネル１０Ｂのうちのいずれか一方の移動量に対して中央戸パネル２０が同方向に略１／２移動する。
なお、無端状伝動体としては、ワイヤー２８に限られず、ベルトやボールチェーン等の他の紐状体としてもよい。また、回転車としては、滑車２７，２７に限られず、歯車（スプロケット）等、他の回転車としてもよい。この場合は、無端状伝動体を回転車の構成に応じて、チェーン等とすればよい。
【００２７】
また、引戸装置１は、図３に示すように、各戸パネル１０Ａ，１０Ｂ，２０の下端側をガイドする下端ガイド２４，２２，３８を備えている。本実施形態では、各戸パネル１０Ａ，１０Ｂ，２０の下端部に、下向きに開口する凹溝１９Ａ，１９Ｂ，２９をそれぞれに戸幅方向に沿って設け、下端ガイドを、各凹溝１９Ａ，１９Ｂ，２９に挿入（遊挿）されるガイドピン２４，２２，３８としている。
中央戸パネル２０のガイドピン３８は、中央戸パネル２０の移動軌跡の直下に位置するように複数箇所に設けられた下端ガイド部材３７に設けられている。この下端ガイド部材３７は、開閉に伴い移動する中央戸パネル２０の直下に少なくとも一つが存在するように設けるようにしてもよい。また、本実施形態では、この下端ガイド部材３７を、磁石を設けたガイドピン３８を上下方向に出没自在に収容し、床に埋め込まれるように配設されるマグネットガイド３７としている。中央戸パネル２０の凹溝２９には、このマグネットガイド３７に対応させて磁石や磁性体等が設けられている。
【００２８】
第１戸パネル１０Ａのガイドピン２４は、中央戸パネル２０の第１縦枠側端部に連結部材を介して固定されている。図例では、Ｌ字型ブラケット状の連結部材の一片部を中央戸パネル２０の第１戸パネル１０Ａ側に向く面（前面）に固定し、その他片部に上方に向けて突出するようにガイドピン２４を設けた例を示している。
第２戸パネル１０Ｂのガイドピン２２は、中央戸パネル２０の第２縦枠側端部に上記同様の連結部材を介して固定されている。つまり、Ｌ字型ブラケット状の連結部材の一片部を中央戸パネル２０の第２戸パネル１０Ｂ側に向く面（後面）に固定し、その他片部に上方に向けて突出するようにガイドピン２２を設けた構成としている。
なお、図１及び図２では、マグネットガイド３７や、各ガイドピン２２，２４、これらの連結部材の図示を省略している。
【００２９】
また、戸厚方向両側の第１戸パネル１０Ａ及び第２戸パネル１０Ｂは、それぞれの戸幅寸法が中央戸パネル２０の戸幅寸法よりも大きく形成されている。本実施形態では、第１戸パネル１０Ａ及び第２戸パネル１０Ｂの戸幅寸法を互いに略同寸法としている。また、本実施形態では、これら第１戸パネル１０Ａ及び第２戸パネル１０Ｂの戸幅寸法を、中央戸パネル２０の戸幅寸法に、上記のように把手１２Ａ，１３Ａ，１２Ｂ，１３Ｂが設けられた開閉側端部１１Ａ，１１Ｂの戸幅寸法を足し合わせた寸法としている。
これら各戸パネル１０Ａ，１０Ｂ，２０の戸幅寸法は、図１（ａ）及び図２（ａ）に示すように、閉鎖状態で隣り合う戸パネル同士の戸幅方向端部が戸厚方向に重合するように、開口幅（両縦枠３１Ａ，３１Ｂ間の寸法）に応じて、適宜、設定するようにしてもよい。
【００３０】
また、引戸装置１は、中央戸パネル２０に対する戸厚方向両側の第１戸パネル１０Ａ及び第２戸パネル１０Ｂのそれぞれの開放側への移動を阻止するストッパー部１４を備えている。つまり、ストッパー部１４は、開閉側端部１１Ａが対向する側の縦枠３１Ａとは異なる側の縦枠３１Ｂ側への第１戸パネル１０Ａの中央戸パネル２０に対する移動を阻止する構成とされている。また、ストッパー部１４は、開閉側端部１１Ｂが対向する側の縦枠３１Ｂとは異なる側の縦枠３１Ａ側への第２戸パネル１０Ｂの中央戸パネル２０に対する移動を阻止する構成とされている。
【００３１】
また、ストッパー部１４は、全開された際に、第１戸パネル１０Ａの反開閉側端面１８Ａと中央戸パネル２０の戸幅方向一方側端面としての第２縦枠側端面２１とを戸幅方向で略一致させるように、第１戸パネル１０Ａの中央戸パネル２０に対する上記開放側への移動を阻止する構成とされている。つまり、第１戸パネル１０Ａは、中央戸パネル２０と最大限戸厚方向に重合して全開された際に、その反開閉側端面１８Ａと中央戸パネル２０の第２縦枠側端面２１とが略同一平面状となる位置でストッパー部１４によって中央戸パネル２０に対する上記開放側への移動が阻止される。
また、ストッパー部１４は、全開された際に、第２戸パネル１０Ｂの反開閉側端面１８Ｂと中央戸パネル２０の戸幅方向他方側端面としての第１縦枠側端面２３とを戸幅方向で略一致させるように、第２戸パネル１０Ｂの中央戸パネル２０に対する上記開放側への移動を阻止する構成とされている。つまり、第２戸パネル１０Ｂは、中央戸パネル２０と最大限戸厚方向に重合して全開された際に、その反開閉側端面１８Ｂと中央戸パネル２０の第１縦枠側端面２３とが略同一平面状となる位置でストッパー部１４によって中央戸パネル２０に対する上記開放側への移動が阻止される。
また、ストッパー部１４は、全開された際に、戸厚方向両側の第１戸パネル１０Ａ及び第２戸パネル１０Ｂの中央側把手１２Ａ，１２Ｂを中央戸パネル２０に当接させないように、中央戸パネル２０に対する第１戸パネル１０Ａ及び第２戸パネル１０Ｂのそれぞれの上記開放側への移動を阻止する構成とされている。
【００３２】
本実施形態では、ストッパー部１４を、図１〜図３に示すように、第１戸パネル１０Ａ及び第２戸パネル１０Ｂのそれぞれに設けたストッパー部１４Ａ，１４Ｂとしている。
第１戸パネル１０Ａのストッパー部１４Ａは、全開された際に、中央戸パネル２０の第１縦枠側端面２３に当接するように、その開閉側端部１１Ａの上端部に、中央側へ突出するように設けられている。このストッパー部１４Ａが中央戸パネル２０の第１縦枠側端面２３に当接することで、第１戸パネル１０Ａの中央戸パネル２０に対する上記開放側への移動が阻止される。
第２戸パネル１０Ｂのストッパー部１４Ｂは、全開された際に、中央戸パネル２０の第２縦枠側端面２１に当接するように、その開閉側端部１１Ｂの上端部に、中央側へ突出するように設けられている。このストッパー部１４Ｂが中央戸パネル２０の第２縦枠側端面２１に当接することで、第２戸パネル１０Ｂの中央戸パネル２０に対する上記開放側への移動が阻止される。
【００３３】
これらストッパー部１４Ａ，１４Ｂは、戸厚方向両側の第１戸パネル１０Ａ及び第２戸パネル１０Ｂの中央戸パネル２０側に向く面に付設されるように設けられている。これらストッパー部１４Ａ，１４Ｂの各戸パネル１０Ａ，１０Ｂへの固定態様としては、ねじ等の止具や接着剤等によって固定するようにしてもよい。
また、図例では、これらストッパー部１４Ａ，１４Ｂを、略直方体形状とした例を示しており、これらストッパー部１４Ａ，１４Ｂを、各上側面が各戸パネル１０Ａ，１０Ｂの上端面と略同一平面状となるように設けた例を示している。これらストッパー部１４Ａ，１４Ｂの突出寸法や上下寸法、戸幅方向に沿う寸法は、戸厚方向両側の第１戸パネル１０Ａ及び第２戸パネル１０Ｂの中央戸パネル２０に対する上記した開放側への移動の阻止が可能なように、適宜、設定するようにしてもよい。図例では、戸厚方向で中央戸パネル２０の戸厚寸法の１／４程度の部位に当接するように各ストッパー部１４Ａ，１４Ｂを構成した例を示している。
【００３４】
また、本実施形態では、これらストッパー部１４Ａ，１４Ｂを、緩衝性を有した材料から形成されたものとしている。このような緩衝性を有した材料としては、これらストッパー部１４Ａ，１４Ｂと中央戸パネル２０とが当接する際に生じる衝撃荷重や衝突音等を緩和可能なものであればよく、例えば、ゴム等のエラストマー系材料や合成樹脂系材料等としてもよい。
なお、これらストッパー部１４Ａ，１４Ｂを設ける位置は、上記した例に限られず、各戸パネル１０Ａ，１０Ｂの開閉側端部１１Ａ，１１Ｂの上端部の他の部位に設けるようにしてもよい。また、これらストッパー部１４Ａ，１４Ｂの形状は、上記した例に限られず、例えば、軸方向を戸厚方向に沿わせた略円柱形状等としてもよい。
また、図１（ｂ）に示すように、上記した連動機構の各回転車（滑車）２７，２７は、これらストッパー部１４Ａ，１４Ｂと同様、各連結部１７Ａ，１７Ｂが当接されて、戸厚方向両側の戸パネル１０Ａ，１０Ｂの中央戸パネル２０に対する上記した開放側への移動を阻止するストッパー部１４としても機能する。つまり、本実施形態では、連動機構にも上記したストッパー部１４Ａ，１４Ｂと同様の機能を奏するストッパー部１４を設けている。
【００３５】
本実施形態に係る引戸装置１は、上述のような構成としたことで、開閉操作性を向上させながらも、全開させた状態における見栄えを向上させ、出入口の開口幅を大きくすることができる。
つまり、戸厚方向両側の戸パネル１０Ａ，１０Ｂのそれぞれの開閉側端部１１Ａ，１１Ｂの戸厚方向両側にそれぞれ突出するように把手１２Ａ，１３Ａ，１２Ｂ，１３Ｂを設けている。従って、例えば、掘り込み状の引手を設けたようなものと比べて、開閉操作性を向上させることができる。
また、全開された際に、戸厚方向両側の戸パネル１０Ａ，１０Ｂの中央側把手１２Ａ，１２Ｂが中央戸パネル２０に当接しないように、ストッパー部１４（１４Ａ，１４Ｂ）によって中央戸パネル２０に対する戸厚方向両側の戸パネル１０Ａ，１０Ｂのそれぞれの開放側への移動が阻止される。また、戸厚方向一方側の戸パネル１０Ａの反開閉側端面１８Ａと中央戸パネルの戸幅方向一方側端面２１とが戸幅方向で略一致し、戸厚方向他方側の戸パネル１０Ｂの反開閉側端面１８Ｂと中央戸パネル２０の戸幅方向他方側端面２３とが戸幅方向で略一致する。従って、上記のように開閉操作性の向上が可能でありながらも、全開させた状態で、厚さ方向に見た状態では、中央戸パネル２０を目立ち難くすることができ、見栄えを向上させることができる。また、三枚の戸パネル１０Ａ，１０Ｂ，２０を重合させるように全開させた状態で戸幅方向一方側に形成される出入口４の開口幅を大きくすることができる。
【００３６】
また、本実施形態では、三枚の戸パネル１０Ａ，１０Ｂ，２０を、それぞれ上レール３３に吊下支持される構成としている。また、戸厚方向両側の戸パネル１０Ａ，１０Ｂの開閉側端部１１Ａ，１１Ｂの上端部にそれぞれ中央側へ突出するようにストッパー部１４Ａ，１４Ｂを設けている。従って、ストッパー部１４Ａ，１４Ｂを簡易な構成としながらも、目立ち難くすることができる。また、例えば、吊下支持される戸厚方向両側の戸パネル１０Ａ，１０Ｂの下端側にストッパー部１４を設けたような態様とした場合と比べて、吊元となる上端部にストッパー部１４Ａ，１４Ｂが位置することとなる。これにより、中央戸パネル２０に当接する際の衝撃を抑制することができ、破損等を抑制することができる。
また、例えば、上レール３３や床側等にストッパー部１４を設けた場合には、三枚の戸パネル１０Ａ，１０Ｂ，２０の戸幅方向いずれか一方側に出入口４が形成されるような位置にストッパー部１４を設ける必要があり、位置が制約される。一方、上記構成によれば、三枚の戸パネル１０Ａ，１０Ｂ，２０が開閉方向のどの位置に位置している状態でも、ストッパー部１４Ａ，１４Ｂによって中央戸パネル２０に対する戸厚方向両側の戸パネル１０Ａ，１０Ｂのそれぞれの上記開放側への移動を阻止することができる。また、このストッパー部１４Ａ，１４Ｂを、開放側へスライド移動させる際の連動機構として機能させることもできる。
また、本実施形態では、これらストッパー部１４Ａ，１４Ｂに加えて、連動機構もストッパー部１４として機能するので、二重の制止機構によってより確実に移動を阻止することができる。
【００３７】
また、本実施形態では、ストッパー部１４Ａ，１４Ｂを、緩衝性を有した材料から形成されたものとしている。従って、ストッパー部１４Ａ，１４Ｂやこれが当接される部位の損傷や、異音の発生を抑制することができる。なお、このような構成に代えて、ストッパー部１４Ａ，１４Ｂを、緩衝性を有さない材料から形成されたものとしてもよい。
【００３８】
また、本実施形態では、連動機構を、中央戸パネル２０の戸幅方向両端部にそれぞれ回転自在に設けられた回転車２７，２７と、これら回転車２７，２７に巻き掛けられた無端状伝動体２８と、を備えたものとしている。また、連動機構を、無端状伝動体２８と第１戸パネル１０Ａとを連結する第１連結部１７Ａと、無端状伝動体２８と第２戸パネル１０Ｂとを連結する第２連結部１７Ｂと、を備えたものとしている。従って、上記のように、戸厚方向両側の戸パネル１０Ａ，１０Ｂのうちのいずれか一方の戸パネルを開閉方向一方側へスライドさせれば、中央戸パネル２０が追従するように同方向に他方の戸パネルに対して移動し、開閉を行うことができる。これにより、例えば、閉鎖した状態で戸厚方向に重合する端部（召し合せ部）等に、互いに引っ掛けられる引掛部等を閉鎖側へスライド移動させる際の連動機構として設けたような場合と比べて、スムーズに開閉させることができる。
【００３９】
なお、ストッパー部１４Ａ，１４Ｂを、戸厚方向両側の戸パネル１０Ａ，１０Ｂの開閉側端部１１Ａ，１１Ｂの上端部にそれぞれ中央側へ突出するように設けた例を示しているが、他の部位に設けるようにしてもよい。例えば、戸厚方向両側の戸パネル１０Ａ，１０Ｂの開閉側端部１１Ａ，１１Ｂの上下方向途中部位や下端部等にストッパー部をそれぞれ設けるようにしてもよい。または、このように戸厚方向両側の戸パネル１０Ａ，１０Ｂの開閉側端部１１Ａ，１１Ｂにストッパー部１４Ａ，１４Ｂを設けずに、上記した連動機構のみをストッパー部１４として機能させるようにしてもよい。さらには、各回転車（滑車）２７，２７をストッパー部１４として機能させる態様に代えて、例えば、戸厚方向両側の戸パネル１０Ａ，１０Ｂに連結された各連結部１７Ａ，１７Ｂの移動を阻止するストッパー部１４を、両回転車２７，２７の近傍部位等に別途、設けるようにしてもよい。また、このように戸パネル側にストッパー部１４を設けた態様に代えて、上レール３３や床側等に設けられるストッパー部１４を備えた態様としてもよい。
また、ストッパー部１４としては、中央戸パネル２０に対する戸厚方向両側の戸パネル１０Ａ，１０Ｂのそれぞれの上記開放側への移動をそれぞれに阻止するストッパー部を設けた態様に限られない。例えば、連動機構等の態様によっては、単一のストッパー部によって中央戸パネル２０に対する戸厚方向両側の戸パネル１０Ａ，１０Ｂのそれぞれの上記開放側への移動を阻止する態様とすることも可能である。
【００４０】
また、連動機構としては、上記のような構成に限られない。例えば、閉鎖した状態で戸厚方向に重合する端部（召し合せ部）等に、互いに引っ掛けられる引掛部等を閉鎖側へスライド移動させる際の連動機構として設けるようにしてもよい。この場合は、上記した第１戸パネル１０Ａ及び第２戸パネル１０Ｂのそれぞれに設けたストッパー部１４Ａ，１４Ｂを、開放側へスライド移動させる際の連動機構として機能させるようにしてもよい。その他、種々の構成とされた連動機構の採用が可能である。
また、本実施形態では、三枚の戸パネル１０Ａ，１０Ｂ，２０を、それぞれ上レール３３に吊下支持させた上吊構造とした例を示しているが、このような態様に限られない。例えば、三枚の戸パネル１０Ａ，１０Ｂ，２０の下端部に戸車等の転動体を設け、床側に、この転動体が係合する下レールを設けた下荷重構造としてもよい。この場合は、戸パネル１０Ａ，１０Ｂ，２０の上端部に、ランナー部材に代えて、ピン状の上ガイド部等を設けるようにしてもよい。また、この場合は、上レールを適宜、変形するようにしてもよい。
【符号の説明】
【００４１】
１                    引戸装置
１０Ａ                第１戸パネル（戸厚方向一方側の戸パネル）
１１Ａ                開閉側端部
１２Ａ                中央側把手
１３Ａ                外側把手
１７Ａ                第１連結部（連動機構）
１８Ａ                反開閉側端面
１０Ｂ                第２戸パネル（戸厚方向他方側の戸パネル）
１１Ｂ                開閉側端部
１２Ｂ                中央側把手
１３Ｂ                外側把手
１７Ｂ                第２連結部（連動機構）
１８Ｂ                反開閉側端面
１４，１４Ａ，１４Ｂ  ストッパー部
２０                  中央戸パネル（中央の戸パネル）
２１                  第２縦枠側端面（戸幅方向一方側端面）
２３                  第１縦枠側端面（戸幅方向他方側端面）
２７                  滑車（回転車、連動機構）
２８                  ワイヤー（無端状伝動体、連動機構）
３３                  上レール
【図１】
2014152522.tif 000003
【図２】
2014152522.tif 000004
【図３】
2014152522.tif 000005